(57)【要約】【課題】ユーザにあった興趣性のある報酬を付与し、もってユーザがゲームを継続する動機を高める。【解決手段】プログラムは、端末装置（２）と通信可能なコンピュータに、端末装置（２）に、ゲーム内容の選択を要求するステップと、端末装置（２）に選択に応じたゲームを提供するステップと、ゲームの結果に基づいてユーザの特性を判定するステップと、ユーザと判定された特性に応じたゲーム媒体とを対応付けて記憶するステップと、を実行させる。【選択図】図１
2016185324.tif 000002
【特許請求の範囲】
【請求項１】
端末装置と通信可能なコンピュータに、
前記端末装置に、ゲーム内容の選択を要求するステップと、
前記端末装置に前記選択に応じたゲームを提供するステップと、
前記ゲームの結果に基づいてユーザの特性を判定するステップと、
前記ユーザと前記判定された特性に応じたゲーム媒体とを対応付けて記憶するステップと、
を実行させるプログラム。
【発明の詳細な説明】
【技術分野】
【０００１】
本発明は、プログラム、制御方法及びサーバ装置に関する。
【背景技術】
【０００２】
従来、ユーザが敵キャラを討伐すること及び、ダンジョン又はクエストをクリアすることによってゲームポイント（報酬）を獲得し、獲得したゲームポイントを用いてゲームを進行するシステムが知られている（例えば特許文献１）。当該システムにおいて獲得することができるゲームポイントは、敵キャラ討伐及び、ダンジョン又はクエストのクリアの難易度によって変化する。
【先行技術文献】
【特許文献】
【０００３】
【特許文献１】特開２０１５−０３８７６４号公報
【発明の概要】
【発明が解決しようとする課題】
【０００４】
しかしながら特許文献１は、敵キャラ討伐及び、ダンジョン又はクエストのクリアの難易度（すなわち、ゲームの状況）のみに注目している。このため、ゲームポイントがユーザの特性（例えば、思考パターン、性格等）によって変化することはなく、付与されるゲームポイントは画一的である。
【０００５】
かかる事情に鑑みてなされた本発明の目的は、ユーザにあった興趣性のある報酬を付与し、もってユーザがゲームを継続する動機を高めることができるプログラム、制御方法及びサーバ装置を提供することにある。
【課題を解決するための手段】
【０００６】
上記課題を解決するために本発明の一実施形態に係るプログラムは、
端末装置と通信可能なコンピュータに、
前記端末装置に、ゲーム内容の選択を要求するステップと、
前記端末装置に前記選択に応じたゲームを提供するステップと、
前記ゲームの結果に基づいてユーザの特性を判定するステップと、
前記ユーザと前記判定された特性に応じたゲーム媒体とを対応付けて記憶するステップと、
を実行させる。
【発明の効果】
【０００７】
本発明の一実施形態に係るプログラム、制御方法及びサーバ装置によれば、ユーザにあった興趣性のある報酬を付与し、もってユーザがゲームを継続する動機を高めることができる。
【図面の簡単な説明】
【０００８】
【図１】本発明の一実施形態に係るサーバ装置及び端末装置の機能ブロック図である。
【図２】ゲーム内容選択時の画面例である。
【図３】ゲーム中の画面例である。
【図４】ゲーム中の回答画面例である。
【図５】ユーザが回答した後の画面例である。
【図６】ゲーム中の他の画面例である。
【図７】判定結果を表示する画面例である。
【図８】（ａ）は点数ＤＢの構造を示す図面であり、（ｂ）は特性ＤＢの構造を示す図面であり、（ｃ）は付与済みゲーム媒体ＤＢの構造を示す図面である。
【図９】ゲーム媒体が付与されたときの画面例である。
【図１０】図１のサーバ装置及び端末装置の動作を示す第１のシーケンス図である。
【図１１】図１のサーバ装置及び端末装置の動作を示す第２のシーケンス図である。
【図１２】変形例１に係るゲーム中の画面例である。（ａ）はスクロール前の画面を示し、（ｂ）はスクロール後の画面を示す。
【図１３】変形例１に係るゲーム中の回答画面例である。
【発明を実施するための形態】
【０００９】
以下、本発明の一実施形態を図面に基づいて説明する。
【００１０】
［システム構成］
図１は、本発明の一実施形態に係るサーバ装置１及び端末装置２の機能ブロック図である。ネットワークを介してサーバ装置１と端末装置２とが通信可能である。サーバ装置１及び端末装置２の数は限定されない。端末装置２は、携帯型の端末であっても、設置型の端末であってもよい。
【００１１】
サーバ装置１及び端末装置２を含むシステムの概要を説明する。サーバ装置１は端末装置２にゲームを提供する。ゲームとは、サーバ装置１が提供する対戦、クエスト、ミッション等を指す。ゲーム媒体とは、ゲームにおいて使用される電子データであり、例えば、カード、アイテム、キャラクタ、アバタ、ゲーム内仮想通貨等を含む。また、ゲーム媒体は、ゲームの進行に応じ、ユーザによって、ゲーム内で、取得、保有、使用、管理、交換、合成、強化、売却、廃棄、及び／又は贈与等され得る電子データであるが、ゲーム媒体の利用態様は本明細書で明示されるものには限られない。ゲーム媒体が固有に有するステータス情報は、ゲーム媒体の攻撃力及び防御力等の戦闘力、ゲーム媒体の攻撃手段及び防御手段等の戦闘手段、ゲーム媒体のコスト、ゲーム媒体のスキル情報、ゲーム媒体のアバタに関する情報、ゲーム媒体の属性、ゲーム媒体のレア度（希少度）を示す指標等である。ゲーム媒体のレア度は１〜５の数値で示され、数値が大きくなるにつれてレア度が高くなる。
【００１２】
ユーザは、対戦（他のユーザとの対戦や、ゲームシステムが操作するキャラクタとの対戦）又はクエスト等を通じてゲーム媒体のステータス情報を変更することができる。例えば、ユーザは、所定の対戦やクエストにおいて取得したゲーム媒体を既に保有しているゲーム媒体と合成することによって、ゲーム媒体が有する攻撃力、防御力及びスキル等のパラメータを強化することができる。また、ユーザは、所定の対戦やクエストにおいて獲得することのできる報酬（例えば、経験値等）によっても、ゲーム媒体が有する攻撃力、防御力及びスキル等のパラメータを強化することができる。
【００１３】
また、ユーザは、ゲーム内で用いる道具の電子データとしてアイテムを取得する。ユーザは、アイテムを用いてゲーム媒体のステータス情報を変更してもよい。例えば、ユーザは、アイテムを用いて、ゲーム媒体の有する攻撃力、防御力及びスキル等のパラメータを強化する。
【００１４】
ゲームシステムは例えば毎日所定時間になると、所定の敵キャラクタ、他のユーザ、及び／又は、他のユーザのグループとの対戦イベントを実施してもよい。例えば、複数のユーザは、ユーザの選択又は、ゲームシステムの選択により決定されるグループに属して、レイドボスを倒すことを目的として対戦に参加する。また、複数のユーザは、ユーザの選択又は、ゲームシステムの選択により決定されるグループに属して、グループ間で互いに対戦を行ってもよい。
【００１５】
以下の説明では、サーバ装置１が提供するゲームとは、例えば地図認識ゲームであるとして説明する。この地図認識ゲームは、例えばメインのＲＰＧ(Ｒｏｌｅ  Ｐｌａｙｉｎｇ  Ｇａｍｅ)の中で、ゲーム媒体の取得時に実行されるミニゲームであってもよい。
【００１６】
サーバ装置１は、制御部１１、記憶部１２、通信部１３、取得部１４、提供部１５、動作情報取得部１６、判定部１７、報酬付与部１８及び結果共有部１９を有する。本発明の一実施形態に係るサーバ装置１の各機能を説明するが、サーバ装置１が備える他の機能を排除することを意図したものではないことに留意されたい。
【００１７】
制御部１１は、サーバ装置１の各種動作を制御するＣＰＵ（Ｃｅｎｔｒａｌ  Ｐｒｏｃｅｓｓｉｎｇ  Ｕｎｉｔ）等のプロセッサである。
【００１８】
記憶部１２は例えば半導体メモリ、磁気メモリ等であり、各種ＤＢ及びサーバ装置１を動作させるためのプログラム等を記憶するとともにワークメモリとしても機能する。記憶部１２は、点数ＤＢ１２ａ、特性ＤＢ１２ｂ及び付与済みゲーム媒体ＤＢ１２ｃを有する。記憶部１２が有する各ＤＢは、サーバ装置１の外部に格納されて、必要なときにサーバ装置１からアクセスされてもよい。点数ＤＢ１２ａは、点数（特性の値の一例）と、点数に対応するレア度（報酬の価値の一例）とを対応付けて記憶する。特性ＤＢ１２ｂは、ゲーム媒体と、レア度と当該ゲーム媒体の１以上の特性とを対応付けて記憶する。詳細は後述するが、特性とは、性別、思考パターン、タイプ又は性格の少なくとも１つを含む。付与済みゲーム媒体ＤＢ１２ｃは、ユーザと、後述する報酬付与部１８によってユーザに付与されたゲーム媒体とを対応付けて記憶する。
【００１９】
通信部１３は、端末装置２との間で情報を送受信するインタフェースである。通信部１３は、有線又は無線の少なくとも一方により通信を行う。
【００２０】
取得部１４は、端末装置２から、ユーザによって選択されたゲーム内容を取得する。
【００２１】
提供部１５は、取得部１４によって取得されたゲーム内容に対応するゲームを端末装置２に提供する。
【００２２】
動作情報取得部１６は、センサ２５からゲーム中のユーザの動作情報を取得する。
【００２３】
判定部１７は、少なくともゲームの結果に基づいてユーザの特性を判定する。具体的には、判定部１７はゲームの結果及び動作情報等に基づいてユーザの特性を判定可能である。
【００２４】
報酬付与部１８は、ユーザの特性に応じて報酬としてゲーム媒体を付与する。このとき報酬付与部１８は、当該ゲーム媒体を端末装置２に出力し、ユーザと、当該ユーザに付与されたゲーム媒体とを関連付けて記憶部１２に記憶する。報酬付与部１８は、ユーザの特性に応じたゲーム媒体、例えばユーザの特性とは反対の特性を有するゲーム媒体を付与可能である。反対の特性とは、対立又は逆の関係にあると考えられる特性である。反対の特性は例えば次の通りである。
・おとこに対しておんな
・リーダータイプに対してサポートタイプ
・冷静に対してヒステリック
・緊張に対して落ち着き
・社交的に対して閉鎖的
・大雑把に対して緻密
・せっかちに対してのんびり
・苛立ちやすい、に対して穏やか
・数学が得意、に対して数学が苦手
・ゲーム内仮想通貨を使わずに貯めている、に対して、ゲーム内仮想通貨を積極的に使用して、欲しいアイテムを手に入れる
【００２５】
結果共有部１９は、ユーザからの要求に応じて、ゲームの結果を他のユーザに共有する。
【００２６】
端末装置２は、制御部２１、通信部２２、表示部２３、入力検出部２４及びセンサ２５を有する。本発明の一実施形態に係る端末装置２の各機能を説明するが、端末装置２が備える他の機能を排除することを意図したものではないことに留意されたい。
【００２７】
制御部２１は、端末装置２の各種動作を制御するＣＰＵ（Ｃｅｎｔｒａｌ  Ｐｒｏｃｅｓｓｉｎｇ  Ｕｎｉｔ）等のプロセッサである。
【００２８】
通信部２２は、サーバ装置１との間で情報を送受信するインタフェースである。通信部２２は、有線又は無線の少なくとも一方により通信を行う。
【００２９】
表示部２３は例えば、液晶ディスプレイ、有機ＥＬディスプレイ又は無機ＥＬディスプレイである。表示部２３はタッチパネルで構成されてもよく、この場合、表示部２３は種々のゲーム画面を表示するとともに、ユーザの操作によるユーザ入力を受付けるインタフェースとして機能する。表示部２３は、サーバ装置１の外部から接続されて用いられてもよい。
【００３０】
入力検出部２４は、機械式の押しボタン又はタッチセンサを含む任意の入力デバイスである。入力検出部２４は、入力操作を検出する。入力操作とは、押下、タッチ、タップ、接触、近接等の操作である。入力検出部２４は、ゲーム中のユーザによる入力を検出し、通信部２２を介して入力内容をサーバ装置１に出力する。
【００３１】
センサ２５は、ユーザの動作情報を検知するセンサである。センサ２５は例えば、声を検知する音声センサ、手の震えを検知する振動センサ、黒目の動きを検知する視線センサ、タイプ又はタップの速さ又は強さを検知する圧力センサである。センサ２５は動作情報を、通信部２２を介してサーバ装置１に出力する。
【００３２】
以下、本実施形態に係るサーバ装置１が実行する制御方法を詳細に説明する。
【００３３】
ユーザ操作により、端末装置２はサーバ装置１にアクセスする。端末装置２は、ユーザ（UID001）によって入力されたＩＤ及びパスワードをサーバ装置１に送信する。ＩＤ及びパスワードを取得したサーバ装置１の取得部１４は、ＩＤ及びパスワードが合致しているか否かを確認し、合致していればユーザのログインを許可する。
【００３４】
ログイン後、ユーザが「ゲーム開始」ボタンを選択すると、端末装置２はゲーム開始要求をサーバ装置１に出力する。取得部１４がゲーム開始要求を取得すると、提供部１５は図２に示すように、おとこ脳とおんな脳とのどちらの特性の値を判定するか（おとこ脳とおんな脳のどちらをはかるか）の選択をユーザに要求する。このとき入力検出部２４は、指の形で示されるカーソルＣ１の操作によりどちらが選択されたかを検出する。代替例として、提供部１５は、当該選択を要求せずにゲームを開始してもよい。また提供部１５は、事前に登録されたユーザの性別に該当する方の特性の値を判定してもよい（すなわち、ユーザが男性であれば、ユーザのおとこ脳の値が判定される）。
【００３５】
端末装置２は、入力検出部２４が検出した当該選択の結果をサーバ装置１に出力する。本実施形態ではユーザの特性がおとこであり、ユーザがおとこ脳を判定することを選択した場合を説明する。
【００３６】
［ゲーム提供段階］
提供部１５は選択の結果を取得すると、おとこ脳の特性の値を判定するためのゲームを端末装置２に提供する。図３は、おとこ脳を判定するための地図認識ゲームを表示部２３が表示したときの画面を示す。ユーザは、クエストマップを所定時間（本実施形態では５秒間）眺めるように要求される。
【００３７】
５秒経過すると提供部１５は、図４に示す画面情報を端末装置２に出力する。図４に示すように、表示部２３は「Ａ：井戸が２つある。」、「Ｂ：上へ進むには橋を３つ渡る。」及び「Ｃ：滝は右上にある。」の３つの選択肢を表示する。ユーザは、図３に示す地図の内容と一致する選択肢を選択して回答する。このとき入力検出部２４は、カーソルＣ２の操作によりどの選択肢が選択されたかを検出する。代替例として音声センサがユーザの回答を音声により受付けてもよい。判定部１７は、ユーザの回答（本実施形態ではＢ）を取得すると、当該回答が正解か否か等、すなわちゲームの結果を判定する。判定部１７が、当該回答が正解であると判定したとき、表示部２３は図５に示すように当該回答が正解であることを表示する。代替例として、正解の選択肢が複数あってもよい。
【００３８】
正解後、提供部１５は図６に示すように、次のゲームを端末装置２に提供する。当該次のゲームで出題される問題は前のゲームで出題された問題とは異なるので、図６に示す地図は図３に示す地図とは異なる。次のゲームは、前のゲームに比べて制限時間が短くてもよい。詳細な説明は前のゲームと同様であるため説明を省略するが、判定部１７はユーザから回答を取得して当該回答が正解か否かを判定する。本実施形態において提供部１５はユーザが不正解となるまでゲームを提供するが、代替例として提供部１５は、ユーザの選択により次のゲームを提供するか否かを決定してもよい。
【００３９】
［判定段階］
判定部１７は、ゲームの結果に基づいてユーザの特性を判定し、また、当該特性の度合いに応じて特性を数値化した値を判定する。例えば判定部１７は、ゲームの連続正解回数及び各回で正解の選択肢を選択するまでの所要時間等に基づいて、ユーザの特性がおとこであることを判定し、特性を数値化した値としておとこ脳の値（点数）を算出する。表示部２３は、図７に示すように、判定結果としておとこ脳の値（９０点）を表示する。また判定部１７は、ユーザの順位（８０位）を表示部２３に表示させてもよい。異なる機能として表示部２３は、ユーザの同世代の中での順位を表示してもよい。
【００４０】
［動作情報取得段階］
ゲームの結果に基づいてユーザの特性を判定することに加えて、ゲーム中、動作情報取得部１６がユーザの動作情報を取得し、判定部１７が当該動作情報に基づいてユーザの特性を判定することが可能である。例えば端末装置２のセンサ２５は、ゲーム中のユーザの動作情報の少なくとも１つを検出しサーバ装置１に出力する。動作情報取得部１６が当該動作情報を取得すると、判定部１７は当該動作情報に基づいて互いに反対の特性を判定する。判定方法は例えば以下の通りである。
【００４１】
音声センサがユーザの回答を音声により受付ける場合、判定部１７は、ユーザの声の大きさが所定値以上であれば、ユーザはリーダータイプであると判定し、所定値未満のときユーザはサポートタイプであると判定する。
【００４２】
また、音声センサがユーザの回答を音声により受付ける場合、判定部１７は、ユーザの声の高さが所定値以上であれば、ユーザはヒステリックであると判定し、所定値未満のときユーザは冷静であると判定する。
【００４３】
また判定部１７は、黒目の動く速さが所定値以上又は黒目の動き方が所定のパターンに合致するとき、ユーザは緊張していると判定し、それ以外のときユーザは落ち着いていると判定する。
【００４４】
更に、判定部１７は、手の震え方が所定値以上のとき、ユーザは緊張していると判定し、所定値未満のときユーザは落ち着いていると判定する。
【００４５】
ユーザの特性はユーザの動作情報からも判定可能である。しかしながら、提供部１５が心理テストのゲームを提供することによって、判定部１７が、回答に基づいてユーザの特性を判定してもよい。また判定部１７はユーザの特性を統計的な傾向から判定してもよい。
【００４６】
また判定部１７は、ユーザによる他のユーザとの交流状況により特性を判定してもよい。例えば判定部１７は、ユーザが他のユーザと活発に交流しているとき（例えば所定時間当たりのメッセージ量又はアクセス回数が所定値以上であるとき）、ユーザは社交的であると判定し、それ以外のときユーザは閉鎖的であると判定してもよい。
【００４７】
［報酬付与段階］
再び図７を参照するに、表示部２３は、「あなたのおとこ脳の値が高いほどレア度の高いおんなファントムが手に入るぞ！」と表示する。おんなファントムとはキャラクタであり、ゲーム媒体の一例である。
【００４８】
ユーザが「おんなファントムを抽選する！」の領域Ｒ１を選択すると、端末装置２は抽選要求をサーバ装置１に出力し、当該抽選要求を取得した報酬付与部１８は抽選を行う。このとき報酬付与部１８は、図８（ａ）及び（ｂ）にそれぞれ例示する点数ＤＢ１２ａ及び特性ＤＢ１２ｂを参照し、ユーザの特性に応じて、ユーザに報酬としてのゲーム媒体を付与する。具体的には、報酬付与部１８は、判定されたユーザの特性と反対の特性を有するゲーム媒体を付与する。また、報酬付与部１８は、ユーザの特性の値が高いほど、価値の高いゲーム媒体を付与してもよい。図８（ａ）及び（ｂ）の例で説明すると、ユーザのおとこ脳の値が９０点であるとき、報酬付与部１８は、特性がおんなでレア度が５のゲーム媒体G004を付与する。
【００４９】
価値の高いゲーム媒体を付与することの代替例として、報酬付与部１８は、ユーザのおとこ脳の値が高いほど、より多くの数のゲーム媒体を付与してもよいし、レア度以外のパラメータ（例えば戦闘力、コスト及びスキル）が高いゲーム媒体を付与してもよい。
【００５０】
異なる機能として、報酬付与部１８は、ゲーム媒体だけでなく、特性に応じてどのようにゲーム（クエスト等）を進行するかのアドバイスを付与してもよい。付与されたアドバイスはユーザと対応付けて記憶部１２に記憶されてもよい。アドバイスとは例えば、属性及び職業等の観点から、どのキャラクタを使用するのがユーザにあっているか、どのギルドに所属するのがあっているか、である。例えば判定部１７がユーザの特性（性別）がおとこであると判定したとき、報酬付与部１８は、特性がおんなであるキャラクタ用いてクエスト等のゲームを進行するのがよいとのアドバイスを報酬としてユーザに付与する。ユーザのおとこ脳の値が高いと判定部１７が判定したとき、報酬付与部１８は価値が高いアドバイスを付与してもよい。価値が高いアドバイスとは例えば、より多くの数のアドバイス、ゲームをより簡単にクリアするためのアドバイス、ゲームにおいてレア度の高いアイテムを獲得するためのアドバイスである。代替例として、判定部１７がユーザの特性がサポートタイプであると判定したとき、報酬付与部１８は、サポートタイプのユーザが少ない所定のギルドに所属するのがよいとのアドバイスをユーザに付与してもよい。
【００５１】
報酬付与部１８は、図８（ｃ）に示すように、付与済みのゲーム媒体とユーザとを対応付けて付与済みゲーム媒体ＤＢ１２ｃに記憶する。
【００５２】
［共有段階］
表示部２３は付与されたゲーム媒体を図９に示すように表示する。また表示部２３は、「みんなに共有してもう一度挑戦だ！」と表示し、他のユーザに結果を共有することを促す。ユーザが「共有」領域Ｒ２を選択すると、結果共有部１９は、ゲームの結果（正解数、ユーザ名、ゲームの内容、所要時間、付与されたゲーム媒体等）を他のユーザに出力して共有する。代替例として結果共有部１９は、ゲームの結果を電子掲示板に表示させてもよい。
【００５３】
ゲーム媒体を付与されたユーザは、当該ゲーム媒体を、別のゲーム（例えばクエスト）において使用することができる。
【００５４】
［ゲームの代替例］
上記実施形態では提供部１５は、地図認識ゲームを提供する。しかしながら、異なるゲームとして、提供部１５は、ユーザに特定の文章の入力を求めるゲームを提供してもよい。このとき判定部１７は、入力の際のタイプミス又はタッチミスの多さが所定値以上であれば、ユーザは大雑把であると判定し、所定値未満であれば緻密であると判定する。また判定部１７は、ユーザが入力した文章中に漢字が用いられる頻度が高いほどおとこ脳の値が高いと判定し、当該頻度が低いほどおんな脳の値が高いと判定してもよい。更に、判定部１７は、ユーザが入力した文章中に絵文字が用いられる頻度が高いほどおんな脳の値が高いと判定し、当該頻度が低いほどおとこ脳の値が高いと判定してもよい。
【００５５】
また提供部１５は、タッチセンサ上で指又はペンを用いて特定の文字の入力を行うことを求めてもよい。このとき判定部１７は、特定の文字の綺麗さが所定値以上であればおんな脳の値が高いと判定し、所定値未満であればおとこ脳の値が高いと判定してもよい。
【００５６】
また提供部１５はもぐらたたきゲームを提供し、判定部１７は、タップの速さが所定値以上であればユーザはせっかちであると判定し、所定値未満であればユーザはのんびりであると判定する。また判定部１７は、タップの強さが所定値以上であればユーザは苛立ちやすいと判定し、所定値未満であればユーザは穏やかであると判定する。
【００５７】
また提供部１５は、端末装置２に計算問題を提供し、判定部１７はユーザが計算問題に正答したか否か又は回答の速さ等から、ユーザが数学を得意とするか苦手とするかを判定する。
【００５８】
また提供部１５は、表示された絵の画像を正確に描いて再現するゲームを提供し、正確さが所定値以上であればユーザが緻密であると判定し、所定値未満であればユーザが大雑把であると判定する。
【００５９】
更に、提供部１５は、好きな色、もの、こと又はキャラクタを質問するゲームを提供し、判定部１７は、質問に対する回答に基づいておとこ脳又はおんな脳を判定してもよい。
【００６０】
また、上記実施形態において提供部１５はユーザが不正解となるまでゲームを提供するが、提供部１５はユーザの正解又は不正解に関わらず一度だけゲームを提供し、判定部１７は当該一度のゲームの結果に基づいてユーザの特性を判定してもよい。
【００６１】
［動作フロー］
図１０及び図１１は、本実施形態に係るサーバ装置１及び端末装置２の動作フローを示すシーケンス図である。
【００６２】
端末装置２はサーバ装置１にアクセスし（ステップＳ１）、ログインを行う（ステップＳ２）。
【００６３】
端末装置２がサーバ装置１にゲーム開始要求を出力すると（ステップＳ３）、サーバ装置１の提供部１５は端末装置２にゲーム内容の選択（例えば、おとこ脳とおんな脳のどちらの特性の値を判定するか）を要求する（ステップＳ４）。端末装置２はユーザ操作により選択されたゲーム内容を出力する（ステップＳ５及びステップＳ６）。
【００６４】
サーバ装置１の提供部１５はゲームを端末装置２に提供する（ステップＳ７）。ゲーム中、端末装置２はユーザの動作情報をサーバ装置１に出力し（ステップＳ８）、ユーザによって選択された選択肢を回答として受付け（ステップＳ９）、当該回答をサーバ装置１に出力する（ステップＳ１０）。
【００６５】
サーバ装置１の判定部１７は回答が正解か否か等、すなわち、ゲームの結果を判定する（ステップＳ１１）。ステップＳ１１でＹｅｓのとき、フローはステップＳ７に戻り、提供部１５は次のゲームを提供する。
【００６６】
ステップＳ１１でＮｏのとき、サーバ装置１の判定部１７はゲームの結果及びステップＳ８で取得した動作情報に基づいてユーザの特性と、特性の度合いに応じて特性を数値化した値とを判定する（ステップＳ１２）。サーバ装置１の判定部１７は判定結果を端末装置２に出力する（ステップＳ１３）。端末装置２はユーザ操作を受付けて、抽選要求を行う（ステップＳ１４）。
【００６７】
サーバ装置１の報酬付与部１８は点数ＤＢ１２ａ及び特性ＤＢ１２ｂを参照して抽選を行い（ステップＳ１５）、抽選されたゲーム媒体を端末装置２に付与する（ステップＳ１６）。このとき報酬付与部１８は、抽選されたゲーム媒体をユーザに出力し、ユーザと当該ユーザに付与されたゲーム媒体とを対応付けて付与済みゲーム媒体ＤＢ１２ｃに記憶し付与済みゲーム媒体ＤＢ１２ｃを更新する。端末装置２はユーザ操作を受付けて共有要求を行う（ステップＳ１７）。
【００６８】
当該共有要求を受付けたサーバ装置１の結果共有部１９は共有を行う（ステップＳ１８）。
【００６９】
本実施形態によれば、サーバ装置１は、ユーザに提供したゲームの結果に基づいてユーザの特性を判定し、特性に応じたゲーム媒体をユーザに付与する。このため、ユーザにあった興趣性のある報酬を付与し、もってユーザがゲームを継続する動機を高めることができる。また、ゲームの結果に基づいて特性を判定することができるので、複雑な操作を行うことなく、ユーザは容易に自分の特性を知ることができる。また、自分の特性を知ると、結果が良くても悪くても話題として他のユーザに共有する動機が生じると考えられるため、共有が多く行われ、ゲームシステム全体が活性化する。更に例えば、ユーザは自分の特性に応じたゲーム媒体を獲得できるため、より多くのゲーム媒体を獲得するためにゲームを繰り返し行う動機が生じる。このため、ユーザにゲームを繰り返し実行させることができる。
【００７０】
本実施形態によれば、動作情報取得部１６はゲーム中のユーザの動作情報を端末装置２のセンサ２５から取得し、判定部１７は、更に当該動作情報に基づいて特性を判定する。ユーザの特性は、ユーザの動作に現れることがある。このため動作情報に基づいて特性を判定することによって、ユーザの特性をより細かく判定することができる。
【００７１】
本実施形態によれば、特性に応じたゲーム媒体とは、特性とは反対の特性を有するゲーム媒体である。このため、ゲーム媒体の取得後のゲームの進行の仕方にバリエーションが出て、ゲームを継続する動機が高まる。
【００７２】
本実施形態によれば、判定部１７は更にユーザによる他のユーザとの交流状況に基づいて特性を判定する。このため、例えばユーザの思考的又は生態的な特性だけでなく社会的な特性も判定することができ、ユーザの特性をより細かく判定することができる。
【００７３】
本実施形態によれば、判定部１７は更に、特性の度合いに応じて特性を数値化した値を判定し、報酬付与部１８は、当該値が高いほど、価値の高いゲーム媒体を付与する。このため、ユーザは自分の特性の値がもっと高いはずであると考え、ゲームを繰り返し行う動機を生じる。このためユーザにゲームを繰り返し実行させることができる。
【００７４】
本実施形態によれば、特性は、性別、思考パターン、タイプ又は性格の少なくとも１つを含む。すなわち、ユーザはゲームを通じて自分自身が気づかなかった自分の内面について知ることができ、その内面にあったゲーム媒体を取得することが可能となる。
【００７５】
本実施形態によれば、報酬付与部１８は更に、特性に応じてどのようにゲームを進行するかのアドバイスを付与する。すなわち報酬付与部１８はゲーム媒体のみならずアドバイスも付与するため、ゲーム媒体の取得後のゲームの進行の仕方にバリエーションが広がり、ゲームを継続する動機が更に高まる。
【００７６】
［変形例１］
上記実施形態では、ユーザがおとこ脳の値を判定することを選択する。変形例１では、ユーザがおんな脳を判定することを選択した場合を説明する。この場合、提供部１５は、文章理解に関する質問に回答するゲームを端末装置２に提供する。上記実施形態と重複する説明は省略する。
【００７７】
ユーザが、おんな脳を判定することを選択したとき、提供部１５は、図１２（ａ）に示すゲームの画面情報を端末装置２に提供し、表示部２３は当該画面情報を自動的に上から下へスクロールしながら表示する。スクロール後の文章を図１２（ｂ）に示す。
【００７８】
表示部２３がスクロール機能により文章全体を表示して所定時間が経過すると、提供部１５は、図１３に示す画像情報を端末装置２に出力し、表示部２３は当該画像情報を表示する。図１３に示す通り、表示部２３は、「Ａ：コンボは６個つながった。」、「Ｂ：最初に戦ったのはキャラクタＢ。」及び「Ｃ：キャラクタＣは水属性。」の３つの選択肢を表示する。当該３つの選択肢のうち、図１２（ａ）及び（ｂ）に示す文章の内容と一致するものが正解の選択肢である。
【００７９】
上記実施形態と同様、入力検出部２４は、カーソルＣ３の操作によりどの選択肢が選択されたかを検出する。ユーザの正解後、提供部１５は次のゲームを提供する。提供部１５は、次のゲームにおいて、より長い文章を提供して難易度を高めてもよい。
【００８０】
報酬付与部１８は、判定されたユーザの特性と反対の特性を有するゲーム媒体を付与する。また、報酬付与部１８は、ユーザの特性の値が高いほど、価値の高いゲーム媒体を付与する。具体的には報酬付与部１８は、ユーザのおんな脳の値が高いほど、レア度の高いおとこファントムを付与する。
【００８１】
［変形例２］
提供部１５は、地図認識ゲームではなく、ＲＰＧをゲームとして端末装置２に提供して、ユーザが当該ＲＰＧをどのように進めるか（ゲームの結果）に基づいてユーザの特性を判定してもよい。
【００８２】
例えば判定部１７は、ユーザがＲＰＧにおいて途中の説明をスキップする回数が所定値以上であれば、ユーザはせっかちであると判定し、所定値未満であればユーザはのんびりしていると判定する。また判定部１７は、ＲＰＧにおけるユーザによるゲーム内仮想通貨の使い方（所定期間内の使用額）から、ゲーム内仮想通貨を使わずに貯めている（堅実）か、ゲーム内仮想通貨を積極的に使用して、欲しいアイテムを手に入れるかを判定してもよい。
【００８３】
上記実施形態、変形例１及び変形例２のように、サーバ装置１が、端末装置２とネットワークを介して接続される場合には、ゲーム又はゲーム内のイベントの進行画面を、サーバ装置１が生成したデータに基づき端末装置２が表示するウェブ表示画面とすることができる。この場合、その他のメニュー画面等を端末装置２にインストールされているネイティブアプリによって表示するネイティブ表示とする等によって、本発明の一実施形態に係るゲームを、サーバ装置１と端末装置２のそれぞれが処理の一部を担うハイブリッドゲームとすることもできる。また、サーバ装置１が行う処理の一部又は全部を、端末装置２にインストールさせたネイティブアプリによって実行することで、上記実施形態、変形例１及び変形例２に係るゲームをネイティブゲームとすることもできる。サーバ装置１が行う処理の全部を、端末装置２にインストールさせたネイティブアプリが実行するとき、上記実施形態、変形例１及び変形例２でサーバ装置１が実行した処理は全て端末装置２により実行される。このとき端末装置２は、サーバ装置１の判定部１７、報酬付与部１８及び結果共有部１９に対応する機能部を備え、サーバ装置１と通信せずにゲームを進行させることができる。
【００８４】
これらの本発明の一実施形態に係るサーバ装置１又は端末装置２の少なくとも一方をコンピュータで構成した場合、各機能を実現する処理内容を記述したプログラムを、当該コンピュータの内部又は外部の記憶部に格納しておき、当該コンピュータの中央演算処理装置（ＣＰＵ）によってこのプログラムを読み出して実行させることで実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。
【００８５】
本発明の一実施形態を諸図面や実施形態に基づき説明してきたが、当業者であれば本開示に基づき種々の変形や修正を行うことが容易であることに注意されたい。したがって、これらの変形や修正は本発明の範囲に含まれることに留意されたい。例えば、各機能部、各ステップ等に含まれる機能等は論理的に矛盾しないように再配置可能であり、複数の機能部やステップ等を１つ組み合わせること、或いは分割することが可能である。以下に、本願の原出願の出願当初の特許請求の範囲に記載された発明を付記する。
［１］
端末装置と通信可能なコンピュータに、
前記端末装置にゲームを提供するステップと、
前記ゲームの結果に基づいてユーザの特性を判定するステップと、
前記特性に応じたゲーム媒体を前記ユーザに付与するステップと、
前記ユーザと付与した前記ゲーム媒体とを対応付けて記憶するステップと、
を実行させるプログラム。
［２］
上記［１］に記載のプログラムにおいて、
前記ゲーム中の前記ユーザの動作情報を前記端末装置のセンサから取得するステップを更に実行させ、
前判定するステップは、更に前記動作情報に基づいて前記特性を判定することを含む、プログラム。
［３］
上記［１］又は［２］に記載のプログラムにおいて、
前記特性に応じたゲーム媒体とは、前記特性とは反対の特性を有するゲーム媒体である、プログラム。
［４］
上記［１］〜［３］のいずれか１つに記載のプログラムにおいて、
前記判定するステップは、更に前記ユーザによる他のユーザとの交流状況に基づいて前記特性を判定することを含む、プログラム。
［５］
上記［１］〜［４］のいずれか１つに記載のプログラムにおいて、
前記判定するステップは更に、前記特性の度合いに応じて前記特性を数値化した値を判定することを含み、
前記付与するステップは、前記値が高いほど、価値の高いゲーム媒体を付与することを含む、プログラム。
［６］
上記［１］〜［５］のいずれか１つに記載のプログラムにおいて、
前記特性は、性別、思考パターン、タイプ又は性格の少なくとも１つを含む、プログラム。
［７］
上記［１］〜［６］のいずれか１つに記載のプログラムにおいて、
前記付与するステップは更に、前記特性に応じてどのようにゲームを進行するかのアドバイスを付与することを含む、プログラム。
［８］
提供部により、端末装置にゲームを提供するステップと、
判定部により、前記ゲームの結果に基づいてユーザの特性を判定するステップと、
報酬付与部により、前記特性に応じたゲーム媒体を前記ユーザに付与するステップと、
記憶部により、前記ユーザと付与した前記ゲーム媒体とを対応付けて記憶するステップと、
を有する制御方法。
［９］
端末装置にゲームを提供する提供部と、
前記ゲームの結果に基づいてユーザの特性を判定する判定部と、
前記特性に応じたゲーム媒体を前記ユーザに付与する報酬付与部と、
前記ユーザと付与した前記ゲーム媒体とを対応付けて記憶する記憶部と、
を有するサーバ装置。
【符号の説明】
【００８６】
１      サーバ装置
１１    制御部
１２    記憶部
１２ａ  点数ＤＢ
１２ｂ  特性ＤＢ
１２ｃ  付与済みゲーム媒体ＤＢ
１３    通信部
１４    取得部
１５    提供部
１６    動作情報取得部
１７    判定部
１８    報酬付与部
１９    結果共有部
２      端末装置
２１    制御部
２２    通信部
２３    表示部
２４    入力検出部
２５    センサ
【図１】
2016185324.tif 000003
【図２】
2016185324.tif 000004
【図３】
2016185324.tif 000005
【図４】
2016185324.tif 000006
【図５】
2016185324.tif 000007
【図６】
2016185324.tif 000008
【図７】
2016185324.tif 000009
【図８】
2016185324.tif 000010
【図９】
2016185324.tif 000011
【図１０】
2016185324.tif 000012
【図１１】
2016185324.tif 000013
【図１２】
2016185324.tif 000014
【図１３】
2016185324.tif 000015